(57)【特許請求の範囲】
【請求項１】
コンピュータシステムであって、
音楽記録媒体を再生する再生機構と、
参考時間を提供するリアルタイムクロック装置と、
前記再生機構により読み取られた音楽データを処理するため、前記再生機構に接続されたボイスプロセッサと、
中央演算装置（ＣＰＵ）と、
表示装置と、
ノーマルモードで次のオーディオトラックを読み取り、その後、前記参考時間が前記次のオーディオトラック時間に加えられてウェークアップ時間を設定し、前記ＣＰＵを節電モードに切り換え、設定された時間に前記ＣＰＵを起こしてノーマルモードに切り替える制御装置と、
前記ＣＰＵが節電モードの時、前記再生機構、前記ボイスプロセッサと前記制御装置に電力を提供する電源制御装置とから構成されたことを特徴とするコンピュータシステム。
【請求項２】
前記コンピュータシステムは、ノートブック／モバイルパソコンであることを特徴とする請求項１に記載のコンピュータシステム。
【請求項３】
前記ボイスプロセッサにより処理される前記音楽データを前記システム周辺に聞こえるようにするラウドスピーカーを更に備えることを特徴とする請求項１に記載のコンピュータシステム。
【請求項４】
前記音楽記録媒体は、音楽ＣＤであり、前記再生機構は、ＣＤ−ＲＯＭドライブであることを特徴とする請求項１〜３の何れか１に記載のコンピュータシステム。
【請求項５】
ノートブック／モバイルコンピュータシステムであって、
音楽記録媒体を再生する再生機構と、
参考時間を提供するリアルタイムクロック装置と、
前記再生機構により読み取られた音楽データを処理するため、前記再生機構に接続されたボイスプロセッサと、
ＣＰＵと、
表示装置と、
ノーマルモードで次のオーディオトラックを読み取り、その後、前記参考時間が前記次のオーディオトラック時間に加えられてウェークアップ時間を設定し、前記ＣＰＵを節電モードに切り換え、設定された時間に前記ＣＰＵをおこしてノーマルモードに切り替える制御装置と、
前記ＣＰＵが節電モードの時、前記再生機構、前記ボイスプロセッサと前記制御装置に電力を提供する電源制御装置と、
からなることを特徴とするノートブック／モバイルコンピュータシステム。
【請求項６】
前記ボイスプロセッサにより処理される前記音楽データを前記システム周辺に聞こえるようにするラウドスピーカーを更に備えることを特徴とする請求項５に記載のノートブック／モバイルコンピュータシステム。
【請求項７】
再生機構とリアルタイムクロック装置によりコンピューター上で音楽記録媒体を再生する方法であって、
前記音楽記録媒体上で、後続トラック時間を読み取る工程と、
前記リアルタイムクロックにより、前記コンピューターシステムの経過時間を計算する工程と、
前記経過時間を前記後続トラック時間に加えて、前記コンピューターシステムのウェークアップ時間を得る工程と、
前記音楽記録媒体を再生する電力を供給する間、前記システムを節電モードに切り替える工程と、
前記ウェークアップ時間で前記コンピューターシステムを起こす工程とからなることを特徴とする音楽記録媒体方法。
【請求項８】
前記コンピュータシステムはノートブック／モバイルコンピューターであることを特徴とする請求項７に記載の方法。
【請求項９】
前記音楽記録媒体で、前記次のトラック時間を得る前記工程の前、前記音楽記録媒体で前記オーディオトラックを得る工程を更に含むことを特徴とする請求項７に記載の方法。
【発明の詳細な説明】
【０００１】
【発明の属する技術分野】
本発明は、コンピューター節電技術（ｃｏｍｐｕｔｅｒ  ｐｏｗｅｒ−ｓａｖｉｎｇ  ｔｅｃｈｎｏｌｏｇｙ）に関するもので、特に、音楽記録媒体再生機構（ＣＤ−ＲＯＭドライブ）を備えるコンピュータシステムに関し、コンピューターシステムのほかの素子により電力が消費されない状況下で、音楽記録媒体（音楽ＣＤ、ＭＤ（Ｍｉｎｉ  Ｄｉｓｋ）、メモリースティック等）を再生する専用電源（ｄｅｄｉｃａｔｅｄ  ｐｏｗｅｒ）を提供する。
【０００２】
【従来の技術】
現在のコンピューターシステム、特にノートブックやモバイルパソコンは通常、節電機能を備えて電力不足や電力消耗の問題を克服している。
コンピューターシステムは一定の期間使用されなければ、システム電源がシャットダウンして電力の節減をする。一般に、コンピューターシステムは、ユーザーにより予め設定された期間使用されない時、自動的に節電モードに切り替える。ユーザーがコンピューターの使用を再開したい場合、システムが立ち上がり（ｗａｋｅ  ｕｐ）、ノーマルモードに切り換わって全ての素子に電力を供給する。
【０００３】
従来は、ユーザーがＣＤ−ＲＯＭドライブ等の再生機構により音楽ＣＤを再生したい場合、コンピューター全体を起動しなければいけなかった。しかし、ＣＤが再生される間、コンピューターシステムの他の機能又は装置は必要とされない。この時、素子に供給される電力は浪費である。
ノートブックやモバイルパソコンなどのバッテリーベースシステム（ｂａｔｔｅｒｙ−ｂａｓｅｄ  ｓｙｓｔｅｍ）を考慮に入れる時、電力の保持が必要なのはなおさらである。ユーザーは音楽ＣＤ等の記録媒体を再生したいだけなのに、電源システム技術はノートブックやモバイルコンピュータ全体を起動させてしまう。
【０００４】
【発明が解決しようとする課題】
本発明は、節電モードで音楽ＣＤを再生することが出来るコンピューターシステム、特に、バッテリー電力を制限するノートブックやモバイルパソコンのアプリケーションを提供することを目的とする。
コンピューターシステムが節電モードの間、ＣＤ−ＲＯＭドライブを起動し、システム内部のその他の素子が節電状態である間も節電モードにさせて電力の浪費を防止する。
【０００５】
本発明は、節電モードで音楽ＣＤ等を再生することが出来るコンピューターシステムであって、特に、経過時間が表示できる再生機構を提供することをもう一つの目的とする。
新しいトラックを再生する時、又はユーザーが早送り、巻き戻しの操作をする時、再生機構が節電モードで音楽ＣＤを再生し、システムをノーマルモードに戻す。ノーマルモードに戻ると、システムは経過した時間を計算し、値を表示する。
【０００６】
【課題を解決するための手段】
上述の目的を達成するため、本発明は、コンピュータシステムであって、音楽記録媒体を再生する再生機構と、参考時間を提供するリアルタイムクロック装置と、前記再生機構により読み取られた音楽データを処理するため、前記再生機構に接続されたボイスプロセッサと、ＣＰＵ（中央演算装置）と、表示装置と、ノーマルモードで次のオーディオトラックを読み取り、その後、前記参考時間が前記次のオーディオトラック時間に加えられてウェークアップ時間を設定し、前記ＣＰＵを節電モードに切り換え、設定された時間に前記ＣＰＵを起こしてノーマルモードに切り替える制御装置と、前記ＣＰＵが節電モードの時、前記再生機構、前記ボイスプロセッサと前記制御装置に電力を提供する電源制御装置とから構成されたことをことを特徴としている。
以上の構成により、音楽再生に必要とされる再生機構、ボイスプロセッサ、ＣＰＵ、制御装置にのみ電力を供給するので、消費電力を節約することができる。
【０００７】
更に、本発明は、音楽ＣＤを再生する方法を提供し、再生機構とリアルタイムクロック装置によりコンピューター上で音楽記録媒体を再生する方法であって、前記音楽記録媒体上で、後続トラック時間を読み取る工程と、前記リアルタイムクロックにより、前記コンピューターシステムの経過時間を計算する工程と、前記経過時間を前記後続トラック時間に加えて、前記コンピューターシステムのウェークアップ時間を得る工程と、前記音楽記録媒体を再生する電力を供給する間、前記システムを節電モードに切り替える工程と、前記ウェークアップ時間で前記コンピューターシステムを起こす工程とからなることを特徴とする。
以上の構成により、音楽再生に必要とされる装置にのみ電力を供給するので、消費電力を節約することができる。
【０００８】
【発明の実施の形態】
上述した本発明の目的、特徴、及び長所をより一層明瞭にするため、以下に本発明の好ましい実施の形態を挙げ、図を参照にしながらさらに詳しく説明する。
図１は本発明による節電モードから音楽記録媒体である音楽ＣＤを再生し、システムを起動する工程を示すフローチャートである。
【０００９】
先ず、ステップＳ１において、ＣＤ−ＲＯＭドライブ（再生機構）が準備状態にあるか否かを確認する。ここで、ＣＤ−ＲＯＭドライブが準備状態の場合、ステップＳ２により、トラックの数とオーディオトラック時間をコンピューターシステムの中に記録する。準備状態でない場合は、エラーシグナルを表示する。次に、ステップＳ３により、音楽記録媒体（音楽ＣＤ）を再生する。また、ステップＳ４では、音楽ＣＤの現在の状態を検出する。ステップＳ５では、リアルタイムクロックにより、現在の時間を得る。ステップＳ６では、ＣＰＵにより現在のオーディオトラック時間が、現在の時間に加えられる。
【００１０】
また、ステップＳ７では、コンピュータシステムに次のウェークアップ時間が設定される。設定完了後、ステップＳ８でコンピューターシステムを節電モードに切り換える。続いて、ステップＳ９では、ＣＤ−ＲＯＭドライブの制御がユーザーにより操作されるか又はウェークアップ時間である時、コンピューターシステムが起動する。ステップＳ１０では、システムがウェークアップ時間かそうでないかを判断する。判断の結果、ウェークアップ時間の場合、ステップＳ１１によりシステムを起動する。その後、ステップＳ４からＳ８を繰り返して、次のオーディオトラックの再生の準備をする。
【００１１】
ステップＳ１０において、ウェークアップ時間でない時、ステップＳ１２に移行して、システム電源が切れているかどうか判断する。判定の結果、電源が切れる場合、ステップＳ１３によりＣＤ−ＲＯＭドライブを停止する。
また、ユーザーが前回又は次のトラック制御を作動する場合、ステップＳ１１によりコンピューターシステムは目覚めて、要求されたシステムを実行する。そして、ステップＳ４からステップＳ８が繰り返される。
【００１２】
図２は本発明の実施例によるコンピューターシステムを示す図である。電源制御装置１７は必要な電力を各素子に提供する。ＣＰＵ１５は全ての他のオペレーションに電力を提供する。具体例において、制御装置１４とキーパッド１８は具体例に記述されるオペレーションを実行する手段を提供する。
【００１３】
先ず、コンピューターシステムにおいて、再生機構１１の音楽ＣＤのデータを読み取り、制御装置１４により、トラックの数と次のトラック時間を得る。次に、現在の時間をリアルタイムクロック装置１６により得る。次に、ＣＰＵ１５により、次のトラック時間を現在の時間に加えて、次のウェークアップ時間を設定する。その後、コンピューターシステムは節電モードを実行して、現在のオーディオトラックで音楽を再生し、電力制御装置１７は再生する音楽ＣＤだけに電力を提供する。
【００１４】
再生機構１１はデータを読み取り、ボイスプロセッサ１２に出力する。ボイスプロセッサ１２は音楽データをラウドスピーカー（ｌｏｕｄｓｐｅａｋｅｒ）１３から出力する。現在の時間がリアルタイムクロック装置１６でウェークアップ時間になる時、次のオーディオトラックを読み取る準備をし、ウェークアップ時間まで、上述のウェークアップ時間を計算する工程を繰り返す。キーパッド１８により指揮されない場合、この工程を音楽の終了まで繰り返す。
【００１５】
ユーザーがキーパッド１８上で機能のどれかを選択した時、入力信号は制御装置１４により直接検出され、ＣＰＵを起動する。上述した作業は現在立ち上がっているＣＰＵにより達成され、システムは節電モードに戻る。
本発明では好ましい実施例を前述の通り開示したが、これらは決して本発明に限定するものではなく、当該技術を熟知する者なら誰でも、本発明の精神と領域を脱しない範囲内で各種の変更を加えることができ、従って本発明の保護範囲は、特許請求の範囲で指定した内容を基準とする。
【００１６】
尚、以上の実施の形態は、音楽ＣＤについて説明したが、これに限ることなく、ＭＤ、メモリーステック等に適用することができる。
【００１７】
【発明の効果】
本発明は、上記した構成からなるので、以下に説明するような効果を奏することができる。
【００１８】
本発明は、音楽記録媒体を再生する再生機構と、参考時間を提供するリアルタイムクロック装置と、前記再生機構により読み取られた音楽データを処理するため、前記再生機構に接続されたボイスプロセッサと、ＣＰＵ（中央演算装置）と、表示装置と、ノーマルモードで次のオーディオトラックを読み取り、その後、前記参考時間が前記次のオーディオトラック時間に加えられてウェークアップ時間を設定し、前記ＣＰＵを節電モードに切り換え、設定された時間に前記ＣＰＵを起こしてノーマルモードに切り替える制御装置と、前記ＣＰＵが節電モードの時、  前記再生機構、前記ボイスプロセッサと前記制御装置に電力を提供する電源制御装置とから構成されたので、再生機構、ボイスプロセッサ、制御装置にのみ電力を供給しつつ、節電モードで音楽ＣＤ等の再生ができる。
【図面の簡単な説明】
【図１】図１は、節電モード中の音楽ＣＤの再生とシステムのウェークアップを示す本発明のフローチャートである。
【図２】図２は、本発明の具体的構成を示すブロック図である。
【符号の説明】
１１    再生機構
１２    ボイスプロセッサ
１３    ラウドスピーカー
１４    制御装置
１５    ＣＰＵ
１６    リアルタイムクロック装置
１７    電力制御装置
１８    キーパッド
【図１】
0003623484.tif 000002
【図２】
0003623484.tif 000003